(57)【要約】【課題】高い盗撮検知精度を確保することができる盗撮検知装置の提供。【解決手段】本発明に係る盗撮検知装置は、例えば傾斜構造物を構成するエスカレータ１に設けられ、通常撮影時における撮影機器７の撮影高さ位置よりも低い所定の高さ位置に設置され、撮影機器７による盗撮が行われていることを検知する検知手段、例えばループアンテナ８を備えている。このループアンテナ８は、ハンドレール４よりも下方に位置する欄干３内に設けてある。ループアンテナ８は、エスカレータ１の近傍位置に設けられ、盗撮が検知されたことを報知する、例えば警告を発する図示しない報知手段に接続させてある。【選択図】図２
2015222533.tif 000002
【特許請求の範囲】
【請求項１】
撮影機器による盗撮を検知する盗撮検知装置において、
通常撮影時における前記撮影機器の撮影高さ位置よりも低い所定の高さ位置に設けられ、前記撮影機器による盗撮が行われていることを検知する検知手段を備えたことを特徴とする盗撮検知装置。
【請求項２】
請求項１に記載の盗撮検知装置において、
前記検知手段は、前記撮影機器による撮影時に、前記撮影機器から発生する電磁波を検知するものから成ることを特徴とする盗撮検知装置。
【請求項３】
請求項２に記載の盗撮検知装置において、
前記検知手段を、エスカレータのハンドレールよりも下方位置の部分に配置したことを特徴とする盗撮検知装置。
【請求項４】
請求項３に記載の盗撮検知装置において、
前記検知手段を、前記エスカレータの欄干内に設けたことを特徴とする盗撮検知装置。
【請求項５】
請求項４に記載の盗撮検知装置において、
前記検知手段は、ループアンテナから成ることを特徴とする盗撮検知装置。
【請求項６】
請求項１〜５に記載の盗撮検知装置において、
前記検知手段から出力される信号に応じて盗撮が検知されたことを報知する報知手段を備えたことを特徴とする盗撮検知装置。
【発明の詳細な説明】
【技術分野】
【０００１】
本発明は、エスカレータ等に設けられ、撮影機器による女性のスカート内等の盗撮を検知する盗撮検知装置に関する。
【背景技術】
【０００２】
近年、スマートフォン、携帯電話、ビデオカメラ等の撮影機器の小型化、また、搭載された撮像素子の高性能化、画像記録媒体などの大容量化に伴い、静止画や動画の撮影が、公序良俗的に許されない状況や、法律により撮影が禁止されている場所（映画館等）において、撮影機器による盗撮の被害が発生してきている。例えば、傾斜構造物を構成するエスカレータにあっては、女性のスカート内の盗撮の被害が発生してきている。
【０００３】
従来、静止画や動画の撮影が公序良俗的に許されない状況における盗撮を防止する技術として、特許文献１に、撮影機器の使用中は、特定信号を発信する無線局装置（携帯電話等）と、街灯などに設置され、前述の特定信号の受信に応じて文字情報を表示する、あるいは警告を発する報知装置とを備え、撮影機器が使用されているときに、報知装置によって撮影実行者の周辺にいる人々に「周辺に撮影実行者がいる」ことを報知し、これによって盗撮行為を防止または抑止とようとする技術が開示されている。
【先行技術文献】
【特許文献】
【０００４】
【特許文献１】特開２００５−３３３２１７号公報
【発明の概要】
【発明が解決しようとする課題】
【０００５】
前述した特許文献１に開示された従来技術にあっては、撮影機器で撮影しているときに、その撮影が盗撮なのかどうかに拘わらず、報知装置により周辺に撮影実行者が存在することが報知される。したがって、盗撮検知の精度の点で問題がある。
【０００６】
本発明は、前述した従来技術における実情からなされたもので、その目的は、高い盗撮検知精度を確保することができる盗撮検知装置を提供することにある。
【課題を解決するための手段】
【０００７】
前記目的を達成するために、本発明に係る盗撮検知装置は、撮影機器による盗撮を検知する盗撮検知装置において、通常撮影時における前記撮影機器の撮影高さ位置よりも低い所定の高さ位置に設けられ、前記撮影機器による盗撮が行われていることを検知する検知手段を備えたことを特徴としている。
【発明の効果】
【０００８】
本発明に係る盗撮検知装置は、検知手段によって、撮影機器が通常撮影時における撮影高さ位置よりも低い所定の高さ位置で撮影されていること、すなわち、盗撮とみなすべき状況下で撮影が行われていることを検出でき、高い盗撮検知精度を確保することができる。これにより、従来に比べて優れた盗撮防止を実現させることができる。
【図面の簡単な説明】
【０００９】
【図１】本発明の盗撮検知装置の一実施形態が設けられるエスカレータにあって、撮影機器による通常撮影が行われている状態を示す側面図である。
【図２】本実施形態に係る盗撮検知装置が設けられたエスカレータにあって、撮影機器による盗撮が行われている状態を示す側面図である。
【図３】図２に示すエスカレータにあって、本実施形態に係る盗撮検知装置に備えられる検知手段の配置形態を説明する側面図である。
【発明を実施するための形態】
【００１０】
以下、本発明に係る盗撮検知装置の実施の形態を図面に基づいて説明する。
【００１１】
本発明に係る盗撮検知装置の一実施形態は、例えば傾斜構造物を構成するエスカレータに設けられている。図１に示すように、このエスカレータ１は、無端状に走行するステップ２と、このステップ２の両側に配置された欄干パネルを有する欄干３と、この欄干３上をステップ２と同期して走行するハンドレール４とを備えている。
【００１２】
エスカレータ１のステップ２上には、スマートフォン、携帯電話、小型カメラ、ビデオカメラ等の撮影機器７を上方に向けて撮影するエスカレータ１の通常利用者５と、この通常利用者５の上方に位置するステップ２に乗っている女生６とが存在している。
【００１３】
この場合、通常利用者５は、撮影機器７を手で持ち、基本的には顔に近づけて使用する姿勢となるため、撮影機器７はハンドレール４よりも上方位置で使用されることになる。つまり、図１は正常な撮影が行われている状況を示している。
【００１４】
前述した図１に示すような例えばエスカレータ１に設けられる本実施形態に係る盗撮検知装置は、図２に示すように、通常撮影時における撮影機器７の撮影高さ位置よりも低い所定の高さ位置に設置され、撮影機器７による盗撮が行われていることを検知する検知手段を備えている。この検知手段は、撮影機器７による撮影時に発生する電磁波を検知するものから成っている。
【００１５】
例えば、検知手段は図３にも示すように、ループアンテナ８から成り、エスカレータ１のハンドレール４よりも下方に位置する部分、例えば欄干３内に設けてある。ループアンテナ８は、例えばエスカレータ１の略全領域に亘って配置され、一定レベル以上で、一定時間継続して撮影機器７から放射されるノイズを検知するようになっている。
【００１６】
なお図示しないが、本実施形態は、検知手段すなわちループアンテナ８から出力される信号に応じて、盗撮が検知されたことを報知する、例えば警告を発する報知手段を備えている。この図示しない報知手段は、例えばエスカレータ１の近傍位置に配置してある。
【００１７】
図２に示すように、盗撮者１０が撮影機器７をハンドレール４よりも下方に位置させて、例えば女性６のスカート内を盗撮しようとするとき、盗撮者１０は、撮影機器７を動画撮影状態にして撮影することが多い。この際に、撮影機器７からの画撮像に伴う信号処理や画像処理によって、多くの放射ノイズ、すなわち電磁波が放射され、この放射された電磁波をループアンテナ８が検出することにより、盗撮を検出することができる。
【００１８】
このときループアンテナ８から図示しない報知手段に信号が出力され、報知手段から警告が発せられる。これにより、盗撮者１０に盗撮を中止させたり、盗撮者１０の周囲の乗客に盗撮が行われていることを気付かせることができる。
【００１９】
なお、前述した図１に示すように、エスカレータ１の通常利用者５が、撮影機器７をハンドレール１よりも高い位置に保って正常な撮影を行う場合には、ループアンテナ８によって撮影機器７が発生する放射ノイズは検出されない。したがって、図示しない報知手段から警告が発せられることがない。
【００２０】
また、撮影機器７がポケットやカバンなどの中に収納されることにより、撮影機器７がハンドレール１よりも下方に位置することが起こり得る。この場合は通常、撮影機器７はスリープ状態、つまり動画撮影や画像処理などを行っていないため、撮影機器７が例えば動画撮影状態である場合と比較して放射ノイズの発生量は少ない。したがって、ループアンテナ８は放射ノイズを検出せず、図示しない報知手段から警告が発せられることがない。
【００２１】
また、定期的な基地局やサーバなどとの通信が発生する場合も起こり得るが、このような場合にあっても、一定時間継続して動作ノイズが放射される状況とはならないので、ループアンテナ８は放射ノイズを検出せず、図示しない報知手段から警告が発せられることがない。
【００２２】
以上のように構成した本実施形態に係る盗撮検知装置によれば、ループアンテナ８によって、撮影機器７が通常撮影時における撮影高さ位置よりも低い所定の高さ位置で撮影されていること、すなわち盗撮とみなすべき状況下で撮影が行われていることを検出でき、高い盗撮検知精度を確保することができる。これにより優れた盗撮防止を実現させることができる。
【００２３】
なお、前述した実施形態は、検知手段をループアンテナ８によって構成し、このループアンテナ８をエスカレータ１に設けた構成にしてあるが、通常の建物の階段の手摺りよりも下方位置等に検知手段を設けた構成にしてもよい。
【符号の説明】
【００２４】
１    エスカレータ
２    ステップ
３    欄干
４    ハンドレール
５    通常利用者
６    女性
７    撮影機器
８    ループアンテナ（検知手段）
１０    盗撮者
【図１】
2015222533.tif 000003
【図２】
2015222533.tif 000004
【図３】
2015222533.tif 000005